(57)【特許請求の範囲】
【請求項１】
温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路とを備えた空調システムにおいて、
前記給気経路の給気口を、前記建物内に配備された部屋の出入り口の開閉手段であるドアの動作領域下方の床面であって、前記建物内の居住者移動領域の床面に設けたことを特徴とする空調システム。
【請求項２】
前記建物の壁部、床部及び天井部の内部にダクトレス空間を気密状に形成し、前記ダクトレス空間を前記給気経路の少なくとも一部をなす通気経路とした請求項１記載の空調システム。
【請求項３】
前記建物の１階天井部と２階床部との間にダクトレス空間を気密状に形成し、前記ダクトレス空間を前記通気経路とした請求項２記載の空調システム。
【請求項４】
前記通気経路と連通する給気口を、前記建物内の１階天井部に設けた請求項３記載の空調システム。
【請求項５】
前記壁部、前記床部及び前記天井部の内部に発泡断熱構造を設けることにより前記ダクトレス空間を形成した請求項２〜４のいずれかに記載の空調システム。
【発明の詳細な説明】
【技術分野】
【０００１】
本発明は、建物内の２４時間換気を実施しながら、建物内の冷暖房を行い、空気を清浄化する機能を有する空調技術に関する。
【背景技術】
【０００２】
建築物の内部の冷暖房を行う空調システムとしては、所謂、ルームエアコンなどの空調装置を用いたものが代表的である。従来の空調装置は、室外機で適度に温度調節された空気流を室内機から建物内に吹き出すことにより空調を行うものであるが、特に夏の暑い時季は、室内機から吹き出す空調空気によって生じる気流感により涼しく感じることができるが、場合によってはドラフトという不快な現象が発生することがある。
【０００３】
そこで、室内に配置された放熱器に熱媒を循環供給し、放熱器から輻射される熱気や冷気により室内の空調を行う方式が提案されている（例えば、特許文献１参照。）。特許文献１記載の「冷暖房システム」は、冷暖房パネルと、この冷暖房パネルの内部に高温あるいは低温の流体を流通させる流体供給装置とを備え、流体供給装置として、配管と、ポンプと、燃料ボイラと、ヒートポンプとが設けられている。
【０００４】
一方、本発明に関連する従来技術として、例えば、特許文献２記載の「住宅換気構造」がある。特許文献２記載の「住宅換気構造」は、冷暖房機能は備えていないが、屋外から吸入した空気を住宅内へ導き入れる空気供給装置と、空気供給装置に一端が連通された給気用ダクトと、この給気用ダクトの他端に連通された給気ガラリ（給気口）と、を備え、空気ガラリ（給気口）を、部屋内の壁面下部や床面端部に形成したものである。
【先行技術文献】
【特許文献】
【０００５】
【特許文献１】特開２００８−１２１９０７号公報
【特許文献２】特開２００６−３１７０５８号公報
【発明の概要】
【発明が解決しようとする課題】
【０００６】
従来の空調装置（ルームエアコンなど）の室内機は運転中にファンの回転音や空気吹き出し音を発するので、静寂性に欠ける面がある。また、特許文献１に記載された放熱器のみによる空調システムは、無風状態でありながら、輻射作用により快適な空調空間を実現することができるが、２４時間換気機能及び建物内へ清浄化された外気を導入する機能を具備していないので、空調作用や換気作用が不十分である。
【０００７】
一方、特許文献２記載の「住宅換気構造」は、気流による居住者などへの不快感を低減させることができ、換気効率の低減を防止することもできるが、部屋内の低い部分に設けられている給気ガラリ（給気口）を家具や調度品で塞がないようにする必要があるため、部屋内における家具や調度品などの配置が著しく制約される。
【０００８】
本発明が解決しようとする課題は、２４時間換気と輻射空調を行いながら、屋外の汚染物質などの建物内への侵入を防止し、建物内を常に静寂かつ快適で清浄な雰囲気に保つことができ、家具や調度品などの配置状態が制約されることがなく、より確実な空調作用、換気作用を得ることができる空調システムを提供することにある。
【課題を解決するための手段】
【０００９】
本発明の空調システムは、
温度調節された熱媒を内部に流通させ表面から暖気若しくは冷気を放出して空調を行うため建物内に配置された放熱器と、
前記熱媒の温度調節を行うため前記建物外に配置された熱源機と、
前記放熱器と前記熱源機との間で前記熱媒を循環させる第１流通経路と、
前記建物内に外気を導入するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路とを備えた空調システムにおいて、
前記給気経路の給気口を、前記建物内に配備された部屋の出入り口の開閉手段であるドアの動作領域下方の床面であって、前記建物内の居住者移動領域の床面に設けたことを特徴とする。
【００１０】
ここで、前記開閉手段とは、部屋の出入り口や物品収納空間の出し入れ口などを開閉する手段をいい、蝶番を中心に回動するドアや扉、敷居やレールに沿ってスライドする引き戸などを含む。また、開閉手段の動作領域に臨む床面とは、前記動作領域に近接した場所に位置する床面をいう。
【００１１】
一般的な建物の内部において、当該建物内に配備された開閉手段の動作領域下方の床面、前記開閉手段の動作領域に臨む床面若しくは前記建物内の居住者移動領域の床面は、本来、家具などを設置できない場所であるため、このような場所に給気口を設ければ、給気口の設置場所の選定に迷う必要がなくなり、家具や調度品などの配置状態が制約されることもない。また、このような場所に給気口を設ければ、壁面の上方に設けられることの多い、排気経路の排気口に向かって空気が流動するときに、建物内を淀みなく空気流が通過するので、より確実な空調作用、換気作用を得ることができる。
【００１２】
ここで、前記建物を形成する壁部、床部及び天井部の内部にダクトレス空間を気密状に形成し、前記ダクトレス空間を前記給気経路の少なくとも一部をなす通気経路とすることができる。
【００１３】
このような構成とすれば、給気経路を経由して建物内に導入された外気を、前記ダクトレス空間を通気経路として利用して各部屋に供給することが可能となるので、建物内に外気導入用のダクトを施工する必要がなくなり、資材の削減及び施工の容易化を図ることができる。
【００１４】
また、前記建物の１階天井部と２階床部との間にダクトレス空間を気密状に形成し、前記ダクトレス空間を前記通気経路とすることができる。
【００１５】
このような構成とすれば、建物の１階天井部と２階床部との間に形成されたダクトレス空間を通気経路として利用して、給気経路を経由して建物内へ導入された外気を建物内へ供給することが可能となる。従って、前記通気経路の下方や上方に位置する部屋内に給気口を設置することにより、前記給気手段から前記給気経路及び前記通気経路を経由して前記給気口に至る流路が形成され、ダクトの施工が不要となる。
【００１６】
また、前記通気経路として利用する前記ダクトレス空間には、熱交換器で温度調節された外気が流通するので、前記ダクトレス空間に接する天井面や床面を介して、部屋内に対する輻射作用が生じ、空調効果が向上する。
【００１７】
また、前記通気経路と連通する給気口を、前記建物内の１階天井部に設けることもできる。
【００１８】
このような構成とすれば、１階天井部は前記通気経路（ダクトレス空間）に接しているため、この場所に給気口を設ければ、給気口と前記通気経路とが連通するため、施工の簡略化を図ることができる。なお、前記給気口は、１階天井部に設けられた開口部に通気部材を設置することによって形成することができる。
【００１９】
さらに、前記壁部、前記床部及び前記天井部に発泡断熱構造を設けることにより前記ダクトレス空間を形成することができる。
【００２０】
このような構成とすれば、前記ダクトレス空間に断熱性と気密性の両方を持たせることができるので、温度調節された状態で前記ダクトレス空間に導入される外気の温度ロス（冷気や暖気の散逸）を抑制することができ、空調効果の向上に有効である。
【発明の効果】
【００２１】
本発明により、２４時間換気と輻射空調を行いながら、屋外の汚染物質などの建物内への侵入を防止し、建物内を常に静寂かつ快適で清浄な雰囲気に保つことができ、家具や調度品などの配置状態が制約されることがなく、より確実な空調作用、換気作用を得ることができる空調システムを提供することができる。
【図面の簡単な説明】
【００２２】
【図１】本発明の第１実施形態である空調システムの構成を示す図である。
【図２】図１中の矢線Ａで示す領域の一部省略斜視図である。
【図３】本発明の第２実施形態である空調システムの構成を示す図である。
【図４】その他の実施形態である空調システムの一部を示す図である。
【図５】発泡断熱構造を用いた空調システムの一部を示す図である。
【発明を実施するための形態】
【００２３】
以下、図１〜図５に基づいて本発明の実施形態である空調システム１００，２００などについて説明する。
【００２４】
図１に示すように、本発明の第１実施形態である空調システム１００は、温度調節された熱媒を内部に流通させ表面から暖気若しくは冷気を放出して空調を行うため建物１０内の複数の部屋１，２，３，４内にそれぞれ配置された輻射型の放熱器１１と、前記熱媒の温度調節を行うため建物１０外に配置された熱源機（ヒートポンプ）１２と、放熱器１１と熱源機１２との間で前記熱媒を循環させる第１流通経路１３と、建物１０内に外気を導入して建物１０内の気圧を正圧に保持するための給気経路１４及び給気手段（ファン）１５と、給気手段１５で導入される外気を浄化する清浄化手段（フィルタ）１６と、給気手段１５で導入される外気の温度調節を行う熱交換器１７と、建物１０内の各部屋１，２，３，４の空気が流出可能な排気経路５，６，７，８と、熱交換器１７と熱源機１２との間で前記熱媒を循環させる第２流通経路１８とを備えている。
【００２５】
給気手段１５のサイズ（性能）などは、限定しないが、建物１０に応じて、建築基準法で定められている必要換気量（０．５回／ｈ）を満たすことができるサイズ（性能）のものを選定することができる。
【００２６】
給気経路１４は、部屋２の外壁部１０ａに開設された開口部１０から１階天井部Ｃ１と２階床部Ｆ２との間に形成された通気経路１９を経由して２階側の部屋３，４の給気口２１に連通している。本実施形態では、１階天井部Ｃ１と２階床部Ｆ２との間に気密断熱状のダクトレス空間を形成し、このダクトレス空間を通気経路１９として使用している。また、１階側の部屋１，２の給気口２１と給気経路１４とは、例えば、床下空間２０及び壁内空間（図示せず）を介して連通されているが、給気経路１４を床下空間２０に接続することもできる。
【００２７】
排気経路５，６，７，８は各部屋１，２，３，４の外壁部１０ａに開設されている。排気経路５，６，７，８にはそれぞれ逆流防止機能と所定の圧力差で開放する機能を有する差圧調節手段９が設けられている。排気経路５，６，７，８の外側にはそれぞれ防雨用のフード１０ｃが設けられている。
【００２８】
放熱器１１は金属製、セラミックス製あるいは合成樹脂製のものを使用できるが、耐腐食性などの耐久性の観点から、本実施形態では合成樹脂製のものを使用している。具体的には、ＰＰＲ（ポリプロピレンランダムコポリマ樹脂）で形成された柵状パネルを前後２枚重ね構造とした放熱器などが好適である。また、本実施形態では、第１流通経路１３を経由して熱源機１２と放熱器１１との間を循環する熱媒として水を使用しているが、これに限定されるものではない。
【００２９】
図１に示すように、各部屋１，２，３，４の床面１ｆ，２ｆ，３ｆ，４ｆにそれぞれ、給気経路１４の給気口２１が設けられている。図２に示すように、部屋１内の給気口２１は、床面１ｆにおいて、部屋１の出入り口１ａの開閉手段であるドア１ｂの動作領域１ｄの下方に位置する部分に設けられている。他の部屋２，３，４の給気口２１も同様に、各部屋２，３，４内の床面２ｆ，３ｆ，４ｆにおいて、出入り口２ａ，３ａ，４ａのドア２ｂ，３ｂ，４ｂの動作領域（図示せず）の下方に位置する部分に設けられている。なお、各部屋１，２，３，４内の床面２ｆ，３ｆ，４ｆにおいて、出入り口１ａ，２ａ，３ａ，４ａのドア２ｂ，３ｂ，４ｂの動作領域（図示せず）の下方に位置する部分は居住者移動領域の床面に該当する。
【００３０】
図１に示す空調システム１００において熱源機１２及び給気手段１５を稼働させると、熱源機１２において温度調節された熱媒が、第１流通経路１３を経由して各部屋１，２，３，４内の放熱器１１との間で循環するとともに、第２流通経路１８を経由して熱交換器１７との間で循環する。これと並行して、給気手段１５により、建物１０の外部から、清浄化手段１６を通過して吸い込まれた外気が熱交換器１７、給気経路１４及び開口部１０ｂなどを経由して給気口２１から部屋１，２，３，４内へ流入する。このとき、給気手段１５の送風能力及び排気経路５，６，７，８の開度は、建物１０内の気圧が正圧を維持することができるように設定され、熱源機１２及び給気手段１５はいずれも連続稼働（所謂、２４時間運転）することができる。従って、空調システム１００は、第２種換気方式の２４時間換気機能を発揮する。
【００３１】
空調システム１００において、季節（気温）に応じて熱源機１２で温度調節された熱媒を、第一流通経路１３を経由して、建物１０内の各部屋１，２，３，４に配置された放熱器１１に循環させることにより、各放熱器１１から放出される暖気若しくは冷気により、それぞれの部屋１，２，３，４内を適切な温度で暖房したり、冷房したりする輻射空調を行うことができる。また、空調システム１００においては、建物１０内に電動式の送風ファンなどを設ける必要がないので、当該空調システム１００が稼働しているときも建物１０内を静寂に保つことができる。
【００３２】
また、給気手段１５により導入される外気は、清浄化手段１６で浄化され、熱交換器１７で適切な温度に調節され、建物１０内の気圧を正圧に保持できるような風圧（風量）で建物１０内に供給される。即ち、給気手段１５により建物１０内へ導入される外気は図１中の矢線で示すように、給気経路１４を経由して部屋１，２，３，４内へ流入して拡散した後、それぞれの一部は排気経路５，６，７，８から屋外へ排出される。
【００３３】
従って、屋外の汚染物質などが外気に伴って建物１０内へ侵入するのを防止しながら、建物１０内を常に快適で清浄な雰囲気に保つことができる第２種換気方式の２４時間換気を実行することができる。また、暖房及び冷房が不要な中間期においては、熱源機１２の運転を停止して、放熱器１１及び熱交換器１７の機能を停止する一方、給気手段１５を連続運転することにより、第２種換気方式の２４時間換気を行うことができる。また、清浄化手段１６としては、空気中の塵埃などを捕捉する機能を有するフィルタが好適であるが、エアワッシャなどを使用することもできる。
【００３４】
なお、空調システム１００においては、第２種換気方式を採用しているが、これに限定するものではないので、例えば、第１種換気方式を採用することもできる。第１種換気方式は、給気及び排気の両方を電動ファンなどの機械的送気手段を用いて行う換気方式であるため、給気量＞排気量となるように給排気量を設定すれば、前述した第２種換気方式と同様の効果を得ることができる。
【００３５】
一方、図２に示すように、建物１０の内部において、部屋１の出入り口１ａの開閉手段であるドア１ｂの動作領域１ｄの下方に位置する床面１ｆは、本来、居住者移動領域の床面に相当し、家具などを設置できない場所であるため、このような場所に給気口２１を設ければ、給気口の設置場所の選定に迷う必要がなくなり、家具や調度品などの配置状態が制約されることもない。給気口２１は、床面１ｆに開設された開口部２１ｘに通気部材２１ｙ（例えば、グリルなど）を設置することによって形成することができるが、これに限定されない。
【００３６】
なお、給気口２１を設けた領域は人間やペットなどが通行する場所であるため、給気口２１上に荷重が加わったときに破損しない程度の強度を有する構造とするとともに、給気口２１で躓いたり、給気口２１に足が引っ掛かったりするのを防止するため、給気口２１と周囲の床面１ｆとが略同一平面をなす構造（給気口２１と周囲の床面１ｆとの間に段差が生じない構造）とすることが望ましい。
【００３７】
また、図２に示すような場所に給気口２１を設ければ、壁面の上方に設けられることの多い、排気経路５の排気口に向かって空気が流動するときに、部屋１内を淀みなく空気流が通過するので、より確実な空調作用、換気作用を得ることができる。さらに、給気口２１に指向性を持たせれば、給気口２１から吹き出した気流が部屋を一巡するようにすることができるので空調作用、換気作用の向上に有効である。
【００３８】
また、建物１０の１階天井部Ｃ１と２階床部Ｆ２との間に形成されたダクトレス空間を、給気経路１４の一部をなす気密断熱性の通気経路１９としたことにより、給気口２１から部屋３，４内へ導入される外気流を確保することができるので、確実な換気作用を得ることができる。また、通気経路１９が給気経路として機能するので、給気口２１に接続するダクトの施工が不要となり、資材の削減及び施工の容易化を図ることができる。また、通気経路１９に面する１階天井部Ｃ１や２階床部Ｆ２を介して輻射作用が生じるので、空調効果の向上に有効である。
【００３９】
図１に示す空調システム１００において、第１流通経路１３、第２流通経路１８の少なくとも一方に経路開閉手段（図示せず）を設ければ、空調負荷などに応じて、前記経路開閉手段を開閉することにより、第１流通経路１３に接続された放熱器１１、第２流通経路１８に接続された熱交換器１７のいずれか一方のみの運転が可能となるので、空調効率の向上に有効である。
【００４０】
例えば、放熱器１１による輻射空調を行いながら、外気をそのまま取り入れたい場合（輻射空調のみを行いたい場合など）は、熱交換器１７に接続される第２流通経路１８の途中に設けた前記経路開閉手段（図示せず）を閉止して、熱交換器１７への熱媒の循環を停止させることによって実現することができる。また、第１流通経路１３に設けた経路開閉手段（図示せず）を閉止して、放熱器１１への熱媒の循環を停止させれば、外気の温度調節のみの運転も可能である。
【００４１】
また、熱交換器１７の熱源として、放熱器１１の熱源である熱源機１２を利用することにより、建物１０内へ導入する外気の温度調節用の熱源を別途、設ける必要がなくなるので、構造の簡素化、設置スペースの削減を図ることができる。
【００４２】
さらに、外気を熱交換器１７で熱交換して建物１０内へ導入するので、特に夏場は高温多湿の外気を冷却することで除湿、冷却された外気を導入することができ、建物１０内を快適な状態にすることができる。なお、夏場は特に放熱器１１表面に結露が発生することがあるが、建物１０内へ導入する外気を予め除湿冷却すれば、放熱器１１表面に発生する結露を緩和させることができる。
【００４３】
一方、排気経路５，６，７，８にそれぞれ逆流防止機能を有する差圧調節手段９が設けられているため、建物１０内の気圧と建物外の気圧との間に所定の圧力差を設定することができ、建物１０内を常に安定した正圧に保つことができる。この場合、建物１０内の気圧と建物外の気圧との圧力差は５Ｐａ〜１０Ｐａ程度に設定することが望ましい。また、建物１０に設けられた扉（図示せず）などの開閉操作により建物１０内の気圧が変動した場合、これに追随して、差圧調節手段９の逆流防止機能が作動するので、排気経路５，６，７，８からの外気侵入を防止することができる。
【００４４】
また、排気経路５，６，７，８から排出される空気量を差圧調節手段９で増減させることにより、建物１０内の気圧を昇降させることもできるので、建物外の気圧などが変化した場合でも、汚染物質の侵入防止機能を適切な状態に設定することができる。さらに、差圧調節手段９は逆流防止手段も有するので、給気手段１５の故障や停止などの原因で建物１０内の正圧が維持できなくなった場合、あるいは強風などにより排気経路５，６，７，８に向かって外気が吹き込むような事態が生じた場合でも、汚染物質を含む外気の建物１０内への侵入を防止することができる。
【００４５】
なお、逆流防止機能を有する差圧調節手段９は、特に限定しないので、予め設定された一定圧力以上で開放状態を保ち、一定圧力未満で閉鎖する機能を有するものを使用することができる。また、逆流防止機能を有する差圧調節手段９は、圧力差により開閉する羽根にウエイトなどを取り付け、一定圧力差以上で開放し、圧力差がなくなると自重で閉止する機構をもつ差圧開閉手段などを好適に使用することができる。設定圧力はウエイトの取り付け個数などで任意に設定できるものでもよい。この場合、ウエイト個数が増えれば開放する際の圧力が高くなり、外気との差圧を大きくとることができ、ウエイト個数が減れば開放圧力が下がり、外気との差圧を小さくすることができる。
【００４６】
そのほか、排気経路５，６，７，８に排気ファン（図示せず）を設けて第１種換気方式の２４時間換気を行うこともできる。この場合も、開口部１０ｂからの給気量が、排気経路５，６，７，８からの排気量よりも多くなるように設定すれば、第１種換気方式により計画的な換気を実現しつつ、建物１０内を常に正圧に保つことができる。また、建物１０内の気圧と建物外の気圧との間に設定されている圧力差を変更する場合は前記排気ファンの回転数を変更することによっても対応可能である。
【００４７】
本実施形態において建物１０は高気密・高断熱構造であるが、これに限定しないので、中気密・中断熱構造の建物などにおいても本発明の空調システムを施工することが可能であり、そのような建物においても、建物内を常に静寂かつ快適で清浄な雰囲気に保つことができる。
【００４８】
次に、図３に基づいて、本発明の第２実施形態である空調システム２００について説明する。なお、図３に示す空調システム２００において、図１に示す空調システム１００の構成部分と同様の構造、機能を有する部分は図１中の符号と同じ符号を付して説明を省略する。
【００４９】
図３に示す空調システム２００においては、通気経路１９は給気経路１４と連通しており、建物１０の１階天井部Ｃ１と２階床部Ｆ２との間に気密断熱状のダクトレス空間を形成し、このダクトレス空間を通気経路１９とし、１階側の部屋１，２の給気口２１ａが部屋１，２の天井面１ｃ，２ｃに設けられている。
【００５０】
１階側の部屋１，２の天井面１ｃ，２ｃは通気経路１９（ダクトレス空間）に接しているため、これらの場所に、給気口２１ａを設ければ、給気口２１ａと通気経路１９とが最短距離で連通するため、施工の簡略化を図ることができる。また、１階天井部Ｃ１と２階床部Ｆ２との間のみをダクトレス空間として使用しているため、気密断熱処理など、ダクトレス空間を構築するための処理も必要最小限で済む。その他の部分の構造、機能などについては図１に示す空調システム１００と同様である。
【００５１】
次に、図４に示す空調システム３００においては、第１，２実施形態である空調システム１００，２００の場合と同様、２階床部Ｆ２と１階天井部Ｃ１との間に気密断熱状のダクトレス空間を形成し、このダクトレス空間を通気経路３９としている。この場合、屋外に設置された給気手段（図示せず）と通気経路３９とは、適宜、断熱処理が施されたダクト３８などで接続されている。
【００５２】
図４は冬期の運転状態を示しており、新鮮な外気は屋外に設置した給気手段であるファンコイルユニット（例えば、図１に示す給気手段１５及び熱交換器１７を一体化した機材）によってダクトレス空間３９に給気され、２階側の部屋４の床面４ｆであってドア４ｂの前に設置された給気口２１から部屋４内へ供給される。この場合、給気口２１からの給気と放熱器（図示せず）による暖房に加え、床面４ｆからの輻射効果も生じるので、優れた暖房効果を得ることができる。
【００５３】
次に、図５に示す空調システム４００においては、２階床部Ｆ２と１階天井部Ｃ１との間に形成されたダクトレス空間を通気経路４９とするとともに、前記ダクトレス空間に気密性及び断熱性を持たせる手段として、発泡断熱構造を採用している。発泡断熱構造は、合成樹脂系の断熱材を発泡させた発泡断熱材４１を建物４０の内側に吹き付けることによって形成されている。具体的には、２階床部Ｆ２を構築した後に、発泡断熱材４１を吹き付け、その後、１階天井部Ｃ１を構築することによって発泡断熱構造を形成することができるが、これに限定するものではない。
【００５４】
発泡断熱材４１は建物４０内の隙間にも確実に充填されるので、断熱機能を確保しつつ建物１０の気密性を向上させることができる。また、２階床部Ｆ２と１階天井部Ｃ１との間に形成されたダクトレス空間４９を給気経路の一部とすることにより、室内に供給される新鮮な外気の熱ロスを最小限に抑えることができる。
【００５５】
なお、建物の壁部、天井部、床部の内部に空調空気を流通させるようにすれば、建物の躯体（構造部分）の風通しが良くなり、結露などが発生し難くなるので、建物の長寿命化を図ることができるほか、ダクトレス空間も空調されることとなるので、ダクトレス空間と居室との温度差がなくなり、居室の壁、天井、床などの面も室温に近くなる結果、温度差がなくなって快適な空調を実現することができる。
【００５６】
なお、図１〜図５に基づいて説明した実施形態は本発明に係る空調システムを例示したものであり、本発明の空調システムは前述した実施形態に限定されない。
【産業上の利用可能性】
【００５７】
本発明の空調システムは、戸建て住宅や集合住宅などの各種建築物における空調手段として、建築・建設産業の分野などにおいて広く利用することができる。
【符号の説明】
【００５８】
１００，２００，３００，４００  空調システム
１，２，３，４  部屋
５，６，７，８  排気経路
９  差圧調節手段
１０  建物
１０ａ  外壁部
１０ｂ，２１ｘ  開口部
１０ｃ  フード
１０ｄ  屋根
１１  放熱器
１２  熱源機
１３  第１流通経路
１４  給気経路
１５  給気手段
１６  清浄化手段
１７  熱交換器
１８  第２流通経路
１９，３９，４９  通気経路
２０  床下空間
２１，２１ａ  給気口
２１ｙ  通気部材
【図１】
0005847780.tif 000002
【図２】
0005847780.tif 000003
【図３】
0005847780.tif 000004
【図４】
0005847780.tif 000005
【図５】
0005847780.tif 000006